(57)【要約】【課題】ダイヤルアップによるインターネット接続において、利用時間の個人管理及び最適料金プランへの変更による計画的かつ経済的にインターネットが利用。【解決手段】インターネットサービス統括業者にて、利用時間見通し管理をサービスする手段と、プロバイダから委託を受けて課金統計業務を行う手段と、プロバイダとの料金プランを新規契約または変更する手段と、プロバイダが変更となってもメールアドレスが変わらずに使用できる共通なメールアドレスを採番する手段と、各プロバイダのメールボックスが透過的に参照可能とするための手段を有する。【効果】インターネットサービス統括業者で提供する利用時間見通し管理手段によりユーザが見通し時間数を入力することで、最適な料金プランの表示及び料金プランを随時変更することにより計画的かつ経済的にインターネットが利用できる。【選択図】  図１
2004178460.tif 000002
【特許請求の範囲】
【請求項１】
インターネットサービス統括業者にて、利用時間見通し管理をサービスする手段と、プロバイダから委託を受けて課金統計業務を行う手段と、プロバイダとの料金プランを新規契約または変更する手段と、プロバイダが変更となってもメールアドレスが変わらずに使用できる共通なメールアドレスを採番する手段と、各プロバイダのメールボックスが透過的に参照可能とするための手段を有するインターネット利用時間見通し管理装置。
【発明の詳細な説明】
【０００１】
【発明の属する技術分野】
本発明は、インターネット利用における、利用時間見通しを管理する方式に関する。
【０００２】
【従来の技術】
従来、ダイヤルアップによるインターネット接続において、利用時間の個人管理が十分でないと、使用過度となり電話会社またはプロバイダからの毎月の請求金額が膨大になるという問題があった。
【０００３】
【発明が解決しようとする課題】
上述した問題点を解決するためには、プロバイダとの料金プラン（例  月１０時間２５００円コース）により、現時点の累計利用時間数が画面で確認できる。また、今後の見通しを日別に入力できる画面により、逐次見通し時間数を入力して自己管理することにより、計画的かつ経済的にインターネットが利用できる。さらに、過去の利用実績を基に、将来料金プランを変更する時の「お勧め最適料金プラン」が表示できる。
【０００４】
本発明の目的は、上述した従来の問題点を解消し、計画的かつ経済的にインターネットが利用できる事を目的とする。
【０００５】
【課題を解決するための手段】
本発明は、インターネットサービス統括業者にて、利用時間見通し管理をサービスする手段と、プロバイダから委託を受けて課金統計業務を行う手段と、プロバイダとの料金プランを新規契約または変更する手段と、プロバイダが変更となってもメールアドレスが変わらずに使用できる共通なメールアドレスを採番する手段と、各プロバイダのメールボックスが透過的に参照可能とするための手段で構成されている。
【０００６】
【発明の実施の形態】
以下、本発明について図面を用いて説明する。
【０００７】
図１は本発明の一実施形態を示す構成図である。図１の実施形態は、インターネットサービス統括業者１にて、利用時間見通し管理をサービスする手段１１と、プロバイダから委託を受けて課金統計業務を行う手段１２と、プロバイダとの料金プランを新規契約または変更する手段１３と、プロバイダが変更となってもメールアドレスが変わらずに使用できる共通なメールアドレスを採番する手段１４と、各プロバイダのメールボックスが透過的に参照可能とするための手段１５で構成されている。
【０００８】
図２は、利用時間見通し管理手段の動作を説明するための図である。
【０００９】
図３は、プロバイダ契約ユーザの居住地や回線種別等の情報を格納しているユーザ固有情報ファイルである。
【００１０】
図４は、契約プロバイダでの課金情報を格納している課金情報ファイルである。
【００１１】
図５は、各プロバイダの料金プランの情報を格納している料金プランテーブルである。
【００１２】
図６は、ユーザのメールアドレス等を格納しているプロバイダ契約テーブルである。
【００１３】
図７は、インターネット利用時間見通し管理画面のイメージである。
【００１４】
ユーザＡは、日々インターネットを使用し、利用時間見通し管理手段１１により当月の利用時間実績及び見通しを画面上で確認できる。その際の処理手順を図２を用いて説明する。各プロバイダから該当ユーザの課金情報を読み込み［ステップ１２１］、利用時間数を図７のインターネット利用時間見通し管理画面の当月実績時間数として表示する。ユーザＡは表示された当月実績時間数以降の欄に見通し時間数を入力して、月末累計時間数を求める［ステップ１２２］。その結果を図７のインターネット利用時間見通し管理画面の当月累計時間数として表示する。また契約した料金プランの時間数を超えていた場合には超過時間数も表示する。ここでユーザＡは、この月末累計時間数及び過去の利用時間実績データを基に、料金プランを変更した方がいいかを検討することができ、画面上の「お勧め最適料金プラン表示」ボタンを押下すると［ステップ１２３］、図４の課金情報、図３のユーザ固有情報及び図５の料金プランテーブルを参照して最適な料金プランを割り出して  ［ステップ１２４］、最適な料金プラン名を画面上に表示する。その後、ユーザＡが最適料金プランへ変更すると判断し画面上の「プロバイダ及び料金プランの変更」ボタンを押下した場合、プロバイダ新規契約／変更手段１３により図６のプロバイダ契約テーブルを更新する。契約変更の情報は、該当プロバイダへも通知される。契約プロバイダが変更となった場合でも、メールボックス参照手段１５により各プロバイダのメールボックスが透過的に参照可能のため変更前後プロバイダのメールボックスが参照できる。
【００１５】
この方式では、インターネットサービス統括業者が全てのプロバイダの課金統計業務を一括管理し、任意のプロバイダの料金プランへ随時変更可能であるため、プロバイダ側では顧客獲得のために各プロバイダが競って、より良い料金プランを企画することで、ユーザにとっても最適な料金プランでインターネットが利用することが期待できる。
【００１６】
【発明の効果】
以上詳述した様に、本発明によれば、計画的かつ経済的にインターネットが利用できる。
【図面の簡単な説明】
【図１】本発明の概略構成を示すブロック図である。
【図２】利用時間見通し管理手段の動作を説明するための図である。
【図３】プロバイダ契約ユーザの居住地や回線種別等の情報を格納しているユーザ固有情報ファイルである。
【図４】契約プロバイダでの課金情報を格納している課金情報ファイルである。
【図５】各プロバイダの料金プランの情報を格納している料金プランテーブルである。
【図６】ユーザのメールアドレス等を格納しているプロバイダ契約テーブルである。
【図７】インターネット利用時間見通し管理画面のイメージである。
【符号の説明】
１…インターネットサービス統括業者、１１…見通し管理手段、１２…課金統計手段、１２１…各プロバイダから該当ユーザの課金情報の読み込みステップ、１２２…月末累計時間数の集計ステップ、１２３…「お勧め最適料金プラン表示」判定ステップ、１２４…最適料金プラン割り出しステップ、１３…プロバイダ新規契約／変更手段、１４…メールアドレス採番手段、１５…メールボックス参照手段、２…ユーザＡ、３…プロバイダＸ。
【図１】
2004178460.tif 000003
【図２】
2004178460.tif 000004
【図３】
2004178460.tif 000005
【図４】
2004178460.tif 000006
【図５】
2004178460.tif 000007
【図６】
2004178460.tif 000008
【図７】
2004178460.tif 000009